(57)【要約】【課題】  左右兼用として使用できるようにしたスペア付きのトイレットペーパーホルダーを提供する。【解決手段】  複数のトイレットペーパー２の中心軸を横にした状態で水平方向に並置して収納可能なトイレットペーパーホルダー１であって、トイレットペーパーホルダー１の外郭を構成する筒状のカバー部材３と、カバー部材３の両端に設けられて前記両端を開閉可能とする左扉体８ａおよび右扉体８ｂと、カバー部材３の前面の左右端側にそれぞれ設けられてトイレットペーパー２を引き出すための左開口部７ａおよび右開口部７ｂと、左開口部７ａおよび右開口部７ｂにそれぞれ設けられたトイレットペーパー２を切断する左切断部５ａおよび右切断部５ｂと、カバー部材３の前面に設けられてスペアのトイレットペーパー２を触手で移動できるようにしたスペア干渉用開口部９とからなる。【選択図】図２
0003208747.tif 000002
【実用新案登録請求の範囲】
【請求項１】
複数のトイレットペーパー（２）の中心軸を横にした状態で水平方向に並置して収納可能なトイレットペーパーホルダー（１）であって、前記トイレットペーパーホルダー（１）の外郭を構成する筒状のカバー部材（３）と、前記カバー部材（３）の両端に設けられて前記両端を開閉可能とする左扉体（８ａ）および右扉体（８ｂ）と、前記カバー部材（３）の前面の左右端側にそれぞれ設けられて前記トイレットペーパー（２）を引き出すための左開口部（７ａ）および右開口部（７ｂ）と、前記左開口部（７ａ）および前記右開口部（７ｂ）にそれぞれ設けられた前記トイレットペーパー（２）を切断する左切断部（５ａ）および右切断部（５ｂ）と、前記カバー部材（３）の前面に設けられてスペアの前記トイレットペーパー（２）を触手で移動できるようにしたスペア干渉用開口部（９）とからなることを特徴とするトイレットペーパーホルダー（１）。
【考案の詳細な説明】
【技術分野】
【０００１】  本考案は、左用と右用とで使い分けていたスペア付きトイレットペーパーホルダーを左右兼用として使用できるようにしたトイレットペーパーホルダーに関するものである。
【背景技術】
【０００２】  複数のトイレットペーパーの中心軸を横にした状態で水平方向に並置して収納可能なスペア付きトイレットペーパーホルダーがある（例えば、特許文献１参照）。
【先行技術文献】
【特許文献】
【０００３】
【特許文献１】  特開２０１３−１５３９４１号公報
【考案の概要】
【考案が解決しようとする課題】
【０００４】  斯かる従来のトイレットペーパーホルダーは、左右非対称であるため、トイレットペーパーは左右どちらか一方からしか投入できず、トイレットペーパーの切断部も左右どちらか一方にしかなく、トイレットペーパーホルダーの設置場所によっては左用と右用で使い分けなくてはならない煩わしさがあった。【０００５】  本考案は、このような従来の問題を解決するものであり、左右兼用として使用できるようにしたスペア付きのトイレットペーパーホルダーの提供を目的とするものである。
【課題を解決するための手段】
【０００６】  本考案は、複数のトイレットペーパーの中心軸を横にした状態で水平方向に並置して収納可能なトイレットペーパーホルダーであって、前記トイレットペーパーホルダーの外郭を構成する筒状のカバー部材と、前記カバー部材の両端に設けられてヒンジにより横方向に回動すると共に開閉可能に設けた左扉体および右扉体と、前記カバー部材の前面の左右端にそれぞれ設けられて前記トイレットペーパーを引き出すための左開口部および右開口部と、前記左開口部および前記右開口部にそれぞれ設けられた前記トイレットペーパーを切断する左切断部および右切断部と、前記カバー部材の前面に設けられてスペアの前記トイレットペーパーを触手で移動できるようにしたスペア干渉用開口部とからなるものである。
【考案の効果】
【０００７】  本考案によれば、左用と右用で使い分ける従来のスペア付きのトイレットペーパーホルダーを左右兼用として使用できるようにしたスペア付きトイレットペーパーホルダーであり、左用として使用する際は左側でトイレットペーパーを引き出して切断を行い、右用として使用する際は右側でトイレットペーパーを引き出して切断を行うことができる左右兼用スペア付きのトイレットペーパーホルダーを得ることができる。
【図面の簡単な説明】
【０００８】
【図１】  本考案の実施形態を示す斜視図である。
【図２】  図１の扉体が開いた状態を示す斜視図である。
【図３】  図１の横断面図である。
【図４】  図１の左切断部にキャップを被せた状態の斜視図である。
【考案を実施するための形態】
【０００９】  複数のトイレットペーパーの中心軸を横にした状態で水平方向に並置して収納可能なトイレットペーパーホルダーであって、前記トイレットペーパーホルダーの外郭を構成する筒状のカバー部材と、前記カバー部材の両端に設けられて前記両端を開閉可能とする左扉体および右扉体と、前記カバー部材の前面の左右端側にそれぞれ設けられて前記トイレットペーパーを引き出すための左開口部および右開口部と、前記左開口部および前記右開口部にそれぞれ設けられた前記トイレットペーパーを切断する左切断部および右切断部と、前記カバー部材の前面に設けられてスペアの前記トイレットペーパーを触手で移動できるようにしたスペア干渉用開口部とからなり、左用と右用で使い分ける従来のスペア付きのトイレットペーパーホルダーを左右兼用として使用できるため、左用として使用する際は左側でトイレットペーパーを引き出して切断を行い、右用として使用する際は右側でトイレットペーパーを引き出して切断を行うことができる。
【実施例】
【００１０】  以下、添付図面に従って一実施例を説明する。【００１１】  図１および図２に示すように、トイレットペーパーホルダー１は、トイレットペーパー２の軸心を横にした状態で載置しており、左右両端に使用されるトイレットペーパー２がそれぞれ配置され、外郭となる筒状のカバー部材３の前面にある左開口部７ａおよび右開口部７ｂからトイレットペーパー２の引き出しが可能で、引き出したトイレットペーパー２は左開口部７ａの下端に備えられた左切断部５ａおよび右開口部７ｂの下端に備えられた右切断部５ｂで切断できる。【００１２】  また、その使用される両端のトイレットペーパー２の間にはスペアのトイレットペーパー２が複数個収納可能となっており、カバー部材３の前面に設けられたスペア干渉用開口部９からスペアのトイレットペーパー２を触手で移動できるようになっている。【００１３】  なお、トイレットペーパーホルダー１のカバー部材３には、左右端のそれぞれにヒンジ１０でカバー部材３の側面を解放または閉鎖可能とする左扉体８ａおよび右扉体８ｂが設けられており、また、トイレットペーパーホルダー１の前方からスペアのトイレットペーパー２を視認することができるスペア干渉用開口部９を設けている。【００１４】  ところで、使用中のトイレットペーパー２がスペアのトイレットペーパー２と接触することで回動の妨げになるのを防ぐことが好ましい。【００１５】  これを実現するため図３で示すように、使用中のトイレットペーパー２は回動時に左右に移動またはスペアのトイレットペーパー２に接触することを防止するために、カバー部材３の内側に左ストッパー４ａおよび右ストッパー４ｂを形成することで、前記移動および前記接触を防ぐことができ、トイレットペーパー２の引き出しをスムーズに行うことができる。【００１６】  さらに、カバー部材３の左右両端に左切断部７ａおよび右切断部７ｂをそれぞれ備えていることにより、左右両方向からトイレットペーパー２を同時に引き出せてしまうのを防ぐことが好ましい。【００１７】  これを実現するため図４で示すように、キャップ６を左切断部７ａまたは右切断部７ｂに被せることで、左右どちらか一方でしかトイレットペーパー２を引き出せなくする構成とすることができる。
【符号の説明】
【００１８】１  トイレットペーパーホルダー
２  トイレットペーパー
３  カバー部材
４ａ  左ストッパー
４ｂ  右ストッパー
５ａ  左切断部
５ｂ  右切断部
６  キャップ
７ａ  左開口部
７ｂ  右開口部
８ａ  左扉体
８ｂ  右扉体
９  スペア干渉用開口部
１０  ヒンジ
【図１】
0003208747.tif 000003
【図２】
0003208747.tif 000004
【図３】
0003208747.tif 000005
【図４】
0003208747.tif 000006